(57)【要約】【課題】  低反発ウレタンフォーム枕において、眠っているとき首筋を自然な形に保ち、肩こり等を予防し、さらに枕カバーにより衛生的にすると共に心地よい眠りにつくことである。【解決手段】低反発ウレタンフォームを素材とした枕において、頚椎の乗る部分をなだらかな凸状帯の盛り上がり部とし、さらに首筋が極度に曲がらないためにその凸状帯の盛り上がり部の左右に半球状の突起部及び通気孔を設け、また吸水性ある枕カバーに絵柄をほどこした。【選択図】  図６
0003122102.tif 000002
【実用新案登録請求の範囲】
【請求項１】
低反発ウレタンフォームを素材とし一体的に成型する枕において、該枕の上下間の中心線部の左右にかけてなだらかな凸状帯の盛り上がり部をつけ、さらに該枕の左右間の中心部から所定の間隔をおいて該凸状帯の盛り上がり部上の左右に一ずつ半球状の突出部をつけたことを特徴とする枕。
【請求項２】
裏面より表面に通気孔として複数の貫通孔を設けた請求項１の枕
【請求項３】
吸水性の織布、不織布、ポリマーシート又は水分吸収シートからなる枕カバーを付けた請求項１ないし請求項２の枕。
【考案の詳細な説明】
【技術分野】
【０００１】
本考案は、低反発ウレタンフォームを素材とした枕の形状に関する。
【背景技術】
【０００２】
通常のポリウレタンフォーム素材は体重のみで沈み込むが、低反発ウレタンフォームは体重だけでなく体温を感知することで柔らかくなり身体の凸凹に合わせてゆっくり沈み込むのが特徴である。そのため眠っている人の体形に合わせて形状が変化し身体とフィットして接触面積を均一に支えるため体圧分散性能に優れ特定の部署に負担がかからず快い眠りが得られることからマットや枕に使われ多く市販されている。
【０００３】
また先行技術として、低反発ウレタンフォームを素材とし通気性を保ち快適に使用できるようにしたマットや枕（特許文献１）、低反発ウレタンフォームを素材とした枕の表面にシリコンゴムを用いて通気性と心地良い感触を持たせた枕（特許文献２）や冷却機能つき低反発枕（特許文献３）などがある。
【０００４】
【特許文献１】登録実用新案第３０９４９１０号
【特許文献２】特許公開２００５−３１９２５０
【特許文献３】特許公開２００５−７１１６
【０００５】
しかし、考案者は、上記文献等では低反発ウレタンフォームの特徴を十分に生かしていないではないかとの疑問点を有していた。すなわち仰向けに寝たとき、身体の正面から見て、背骨から頚椎までを直線的な状態とし、さらに身体の側面からみて背骨と頚椎はなだらかな曲線となることが望ましいと考えた。そこで、枕の上下間の中央部に頚椎が乗るようにするため、枕の中央線部を左右になだらかな凸状帯の盛り上がりを設け、さらに首筋が極端に曲がることがないように該凸状帯の盛り上がり部の左右には椀をふせたような半球状の突出部を設けた。
【０００６】
一方低反発ウレタンフォームは通気性が悪く、さらにその断熱性のために夏季等は頭が蒸れて寝苦しくなる。また低反発ウレタンフォームは水洗することが困難である。そこで、低反発ウレタンフォーム枕に裏表に貫通する通気孔を設けると共に汚れを防止し吸汗する枕カバーも検討した。
【０００７】
さらに枕カバーを付けていない本一体成型された枕は、一見すると女性のバストの形となり、遊び心もふまえて枕カバーには吸汗性等の機能だけでなく色彩、模様等も工夫した。
【考案の開示】
【考案が解決しようとする課題】
【０００８】
本考案の解決しようとする課題は、低反発ウレタンフォーム枕において、眠っているとき首筋を自然な形に保ち肩こり等を予防し、さらに枕カバーにより衛生的にすると共に遊び心を付け加えたことである。
【０００９】
本考案の枕は、その形状を頚椎の乗る部分をなだらかな凸状帯の盛り上がり部とし、さらに首筋が極度に曲がらないように、その凸状帯の盛り上がり部の左右に半球状の突起部を設けたことを特徴とする。
【課題を解決するための手段】
【００１０】
すなわち請求項１の考案は、低反発ウレタンフォームを素材とし一体的に成型する枕において、該枕の上下間の中心線部の左右にかけてなだらかな凸状帯の盛り上がり部をつけ、さらに該枕の左右間の中心部から所定の間隔をおいて該凸帯状の盛り上がり部上の左右に一ずつ半球状の突出部をつけたことを特徴とする枕である。ここで枕の上下とは枕を使用したときの頭から背骨までの方向をいい、左右とはその該上下と直角の向きをいう。仰向けに寝たとき頚椎は背骨より高い位置となり頚椎とフィットさせるために凸状の盛り上がり部を設けたものである。該凸状の盛り上がり部の左右に一ずつ半球状の突出部を設けたのは眠っているときに極端に首筋が曲がらないためである。半球状の突出部が首筋を極端に曲げられるのを防ぐためである。なお、なだらかな凸状帯の盛り上がりとせず、該枕の上下よりその中心部にかけて枕の厚みを増していくことでもよい。
【００１１】
請求項２の考案は、裏面より表面に通気孔として複数の貫通孔を設けた請求項１の枕である。枕の表面とは頭の乗る面であり、裏面とはその反対の面である。低反発ウレタンフォームは通気性が悪くまたその断熱性により夏季等は頭が蒸されるためこれを防止するためである。複数としたには低反発ウレタンフォームの特性を失わない範囲で、径の小さい貫通孔を数多く設けるほうが通気性が良くなるためである。
【００１２】
織布、不織布、ポリマーシート請求項３の考案は、吸水性の織布、不織布、ポリマーシート又は水分吸収シートからなる枕カバーを付けた請求項１ないし請求項２の枕である。低反発ウレタンフォームは、眠っているとき汗をかいてもその蒸発性も悪く不快であり、さらに先に述べたように水洗いすることは困難である。そこで吸水性が良い枕カバーが必要である。吸水性のよい織布、不織布、ポリマーシート又は水分吸収シートは多く市販されており、これを枕カバーとして使用することにより低反発ウレタンフォーム枕の汚れを防ぎ快適に低反発ウレタンフォーム枕を長期間使用することができる。
【００１３】
第１層が水分をすばやく吸収し第２層が湿気をすばやく拡散し第３層が湿気を遮断する３層構造素材の枕カバーがある。これを低反発ウレタンフォーム枕の内側の枕カバーとし、低反発ウレタンフォーム枕の形状が女性のバストに似ていることから女性のブラウス等の模様を付した吸水性の織布を外側の枕カバーとすることもできる。
【考案の効果】
【００１４】
本考案の低反発ウレタンフォーム枕は眠っているときに首筋の極端な曲がりを防ぎ肩こりを治し、さらにその形状が女性のバストに似ていることから、男性はより心地よい眠りにつくことができる。
【考案を実施するための最良の形態】
【００１５】
本考案を実施するための形態を以下に示す。
【実施例】
【００１６】
図５は本考案に基づいて一体的に成形した低反発ウレタンフォーム枕の外観写真である。その正面図、立面図、側面図を図１、図２、図３に示す。一体的にとしたのは、本考案に基づく形状の金型を作成し１工程で成形したためである。
【００１７】
通気孔である貫通孔は、今回は一体成形した後に孔あけ加工したが、貫通孔も金型によって一体成形することは可能である。図４において通気孔位置の一例を示したが枕正面全体に通気孔を設けることもできる。又通気孔の径を通気孔の位置により変化させることもできる。例えば枕正面の中心より放射状に通気孔をあけ中心より外へいくにしたがって通気孔の径を小さくすることもできる。
【００１８】
絵柄の枕カバーを付けた低反発ウレタンフォーム枕を図６に示す。男性にとってはあたかも女性のバストに頭を乗せて寝るような感じとなり心地よい眠りにつくことができる。
【産業上の利用可能性】
【００１９】
低反発ウレタンフォーム枕の特性を生かした枕、マット等は多く市販されているが、頚椎にフィットさせ首筋を極端に曲げないように首筋の左右に半球状の突出部部を設けさらに遊び心を付加した本考案は人気グッズとなり得る。
【図面の簡単な説明】
【００２０】
【図１】低反発ウレタンフォーム枕正面図
【図２】低反発ウレタンフォーム枕立面図
【図３】低反発ウレタンフォーム枕側面図
【図４】通気孔（貫通孔）を設けた低反発ウレタンフォーム枕の正面図
【図５】低反発ウレタンフォーム枕の外観写真
【図６】枕カバーを付けた低反発ウレタンフォーム枕
【符号の説明】
【００２１】
１    低反発ウレタンフォーム枕
２    なだらかな凸状盛り上がり部
３    半球状の突出部
４    通気孔（貫通孔）  
【図１】
0003122102.tif 000003
【図２】
0003122102.tif 000004
【図３】
0003122102.tif 000005
【図４】
0003122102.tif 000006
【図５】
0003122102.tif 000007
【図６】
0003122102.tif 000008